(57)【要約】【課題】石炭灰の融点を低下するための低コストな融点降下剤を添加して石炭灰の融点を低下することにより、溶融炉の損耗を最小限とし、石炭灰を安価にかつ容易に溶融スラグ化すること。【解決手段】石炭灰を溶融炉で溶融処理して溶融スラグを取り出す石炭灰溶融システムであって、石炭灰の融点降下剤として、貝殻の粉砕片を石炭灰に添加すること。具体的なシステム構成として、発電所の海水取水口に付着した貝を粉砕し、粉砕された貝を溶融炉１で発生する燃焼排ガスを用いて乾燥８させ、乾燥させた貝殻を微粉砕９し、微粉砕された貝殻を石炭灰と混合１１して溶融炉１に供給する石炭灰溶融システム。【選択図】　　　　図１
2004130230.tif 000002
【特許請求の範囲】
【請求項１】
石炭灰を溶融炉で溶融処理して溶融スラグを取り出す石炭灰溶融システムであって、
前記石炭灰の融点降下剤として、貝殻の粉砕片を前記石炭灰に添加することを特徴とする石炭灰溶融システム。
【請求項２】
請求項１において、
前記貝殻は、発電所の海水取水口に付着する貝の貝殻であることを特徴とする石炭灰溶融システム。
【請求項３】
請求項１又は２において、
前記貝殻として用いられる貝を前記溶融炉で発生する燃焼排ガスを使用して乾燥させることを特徴とする石炭灰溶融システム。
【請求項４】
請求項１、２又は３において、
前記溶融炉の燃料である石炭を粉砕する微粉炭機に前記貝殻を供給して粉砕し、粉砕された微粉炭と粉砕された貝殻とを前記溶融炉へ供給することを特徴とする石炭灰溶融システム。
【請求項５】
石炭灰を溶融炉で溶融処理して溶融スラグを取り出す石炭灰溶融システムであって、
発電所の海水取水口に付着した貝を粉砕し、前記粉砕された貝を前記溶融炉で発生する燃焼排ガスを用いて乾燥させ、前記乾燥させた貝殻を微粉砕し、前記微粉砕された貝殻を前記石炭灰と混合して前記溶融炉に供給する
ことを特徴とする石炭灰溶融システム。
【発明の詳細な説明】
【０００１】
【発明の属する技術分野】
本発明は、石炭焚ボイラの燃焼排ガスに含まれるフライアッシュの溶融処理に係わり、産業廃棄物の無害化、資源リサイクルの技術に関する。
【０００２】
【従来の技術】
従来、石炭火力で発生する石炭燃焼灰は、セメント混和剤等に利用されているが、その利用率は発生燃焼灰の約６割であり、残りは産業用廃棄物として埋立処分されているのが実体である。
【０００３】
このような燃焼灰の処理方法として、灰を溶融する技術がある。燃焼灰（フライアッシュ）に比べ、灰を溶融すること（スラグ化）により、水銀、砒素等の重金属の溶出性が低くなり、一般廃棄物としての処理が可能、減容化により取扱が容易、骨材等の適用範囲の拡大という利点がある。
【０００４】
石炭灰はＳｉＯ２、Ａｌ２Ｏ３等酸性成分を主体とする組成をなしており、炭種によっては融点が１８００℃程度となる。従って、石炭灰の融点を低下させるため、ＣａＯ、ＣａＣＯ３等の塩基性成分を添加することにより融点が低下することが知られている。
【０００５】
この塩基性成分に相当するものとして、特公平６−９９６９９号公報記載の技術では、銑鉄から鋼を製造する際に生じる製鋼製スラグを融点降下剤として使用している。また、特開平１１−７９４１４号公報記載の技術では、ゴミ焼却飛灰またはこれとゴミ焼却灰との混合物を融点降下剤として使用している。
【０００６】
【発明が解決しようとする課題】
本発明は、石炭灰溶融炉において溶融処理される石炭灰の融点を低下するための低コストな融点降下剤を添加し石炭灰の融点を低下することにより、溶融炉の損耗を最小限とし、石炭灰を安価にかつ容易に溶融スラグ化することを目的とする。
【０００７】
また、本発明は、発電所の海水取水口に付着する貝の処理により生じる貝殻をも同時に溶融処理することを可能とする。さらには、溶融炉から発生する高温ガスを、湿分を含む貝の乾燥に利用することにより、燃焼ガスの熱回収を行いエネルギの有効利用を図ることを目的とする。
【０００８】
【課題を解決するための手段】
前記課題を解決するために、本発明は主として次のような構成を採用する。　石炭灰を溶融炉で溶融処理して溶融スラグを取り出す石炭灰溶融システムであって、前記石炭灰の融点降下剤として、貝殻の粉砕片を前記石炭灰に添加する石炭灰溶融システム。
【０００９】
また、前記石炭灰溶融システムにおいて、前記溶融炉の燃料である石炭を粉砕する微粉炭機に前記貝殻を供給して粉砕し、粉砕された微粉炭と粉砕された貝殻とを前記溶融炉へ供給する石炭灰溶融システム。
【００１０】
また、石炭灰を溶融炉で溶融処理して溶融スラグを取り出す石炭灰溶融システムであって、
発電所の海水取水口に付着した貝を粉砕し、前記粉砕された貝を前記溶融炉で発生する燃焼排ガスを用いて乾燥させ、前記乾燥させた貝殻を微粉砕し、前記微粉砕された貝殻を前記石炭灰と混合して前記溶融炉に供給する石炭灰溶融システム。
【００１１】
【発明の実施の形態】
本発明の実施形態に係る石炭灰溶融システムについて、図１を参照しながら説明する。図１は本発明の実施形態に係る石炭灰溶融システムの系統構成を示す図である。図１において、１は石炭灰溶融炉、２は熱交換器、３は燃焼灰サイロ、４は貯蔵サイロ、５はＦＤＦ、６はブロワ、７は粗粉砕機、８は乾燥機、９は微粉砕機、１０は添加剤サイロ、１１は混合機、をそれぞれ表す。
【００１２】
石炭灰溶融炉１は石炭燃焼灰の溶融処理のため、溶融炉の炉内雰囲気温度を１５００℃以上にする必要があり、この燃料として微粉炭が供給される。
【００１３】
湿分を含む貝（融点降下剤として作用する）は、粗粉砕器７にて粉砕された後、乾燥装置８に供給される。一方、石炭灰溶融炉１から発生した燃焼ガスは熱交換器２にて熱交換された後、その一部が湿分を含む貝の乾燥のため乾燥装置８に供給される。乾燥装置内にて熱交換された燃焼ガスは、再び煙道に戻される。
【００１４】
乾燥装置８にて乾燥された貝は微粉砕機９にて粉砕された後、添加剤サイロ１０に一時貯蔵される。さらに、微粉砕されたサイロ１０からの貝は添加剤として混合機１１で石炭燃焼灰と混合され、サイロ４に貯蔵した後、石炭灰溶融炉１へ供給されて、石炭燃焼灰が溶融処理される。
【００１５】
このように、石炭灰溶融炉１において溶融処理の対象となる石炭灰に、融点降下剤として作用する塩基性成分を含む貝殻を粉砕、粒度調整し添加することにより、石炭灰の融点を低下でき、溶融炉への損耗を最小限にし、石炭灰を安価に溶融スラグ化することが可能となる。また、発電所の海水取水口に付着する貝の処理により生じる貝殻をも同時に溶融処理可能なことから、環境保全、資源の有効利用にも役立つこととなる。
【００１６】
次に、本発明の他の実施形態に係る石炭灰溶融システムについて、図２を参照しながら説明する。図２に示すように、石炭灰溶融炉１の燃料である石炭の粉砕、供給に使用する微粉砕機９を貝殻の粉砕用としても利用しているものである。
【００１７】
貝は、まず粗粉砕機７で粉砕された後に乾燥装置８で貝の湿分が乾燥され、更に、サイロ１０に一時貯蔵される系統を経るが、この経路は図１の経路と同一である。次いで、粉砕された貝殻は、供給機１２を介して微粉砕機９に導入されて、前述のように燃料用石炭と共に貝殻を粉砕し石炭灰溶融炉１へ供給されて溶融処理される。一方、石炭燃焼灰は、貯蔵サイロ４に貯蔵された後、ブロア６によって石炭灰燃焼炉１に供給されて、融点降下剤として働く微粉砕貝殻とともに溶融処理され、溶融スラグとして回収される。
【００１８】
以上説明したように、本発明の実施形態の特徴は、石炭灰溶融炉において溶融処理の対象となる石炭灰に、融点降下剤として作用する塩基性成分を含む貝殻を粉砕、粒度調整し添加することにより溶融処理されるものでる。
【００１９】
そして、添加剤となる貝殻を発電所の海水取水口に付着する貝とすることにより、発電所で問題となっている貝殻の処理をも可能とする。さらに、湿分を含む貝を石炭灰溶融炉で発生した燃焼ガスを用いて乾燥し、石炭灰溶融炉に供給する装置を設置することでエネルギの有効利用を図ることが可能となる。
【００２０】
【発明の効果】
本発明によれば、石炭灰溶融炉において溶融処理の対象となる石炭灰に、融点降下剤として作用する塩基性成分を含む貝殻を粉砕、粒度調整し添加することにより石炭灰の融点を低下でき、溶融炉への損耗を最小限にし、石炭灰を安価に溶融スラグ化することが可能となる。
【００２１】
また、発電所の海水取水口に付着する貝の処理により生じる貝殻をも同時に溶融処理可能なことから、環境保全、資源の有効利用にも作用する。さらに湿分を含む貝を灰溶融炉で発生した燃焼ガスを用いて乾燥し石炭灰溶融炉に供給することでエネルギの有効利用を図ることが可能となる。
【図面の簡単な説明】
【図１】本発明の実施形態に係る石炭灰溶融システムの系統構成を示す図である。
【図２】本発明の他の実施形態に係る石炭灰溶融システムの系統構成を示す図である。
【符号の説明】
１　石炭灰溶融炉
２　熱交換器
３　燃焼灰サイロ
４　貯蔵サイロ
５　ＦＤＦ
６　ブロワ
７　粗粉砕機
８　乾燥機
９　微粉砕機
１０　添加剤サイロ
１１　混合機
１２　供給機
【図１】
2004130230.tif 000003
【図２】
2004130230.tif 000004